(57)【要約】【課題】出来る限り身体のあらゆる場所をマッサージすることができると共に、幅広く心地よいマッサージを行なうことができるマッサージ器を提供する。【解決手段】マッサージ器１０は、把持部２を有する本体１と、本体１に設けられた４本の支持軸３と、各支持軸３に、回転可能に支持された４組のローラ部４とを備える。各支持軸３は、本体１から延びて先端に行くほど、隣り合う支持軸３との間の距離が離れて先広がりとなるように傾斜して、本体１に設けられている。各ローラ部４は、各支持軸３に回転可能に支持された少なくとも二つのローラ４ａ，４ｂを含む。先端側のローラ４ｂは、基端側のローラ４ａに比べて、大きい。【選択図】図１
2020062090.tif 000002
【特許請求の範囲】
【請求項１】
把持部を有する本体と、
前記本体に設けられた４本の支持軸と、
各前記支持軸に、回転可能に支持された４組のローラ部とを備え、
各前記支持軸は、前記本体から延びて先端に行くほど、隣り合う前記支持軸との間の距離が離れて先広がりとなるように傾斜して、前記本体に設けられており、
各前記ローラ部は、各前記支持軸に回転可能に支持された少なくとも二つのローラを含み、
前記少なくとも二つのローラは、大きさが異なることを特徴とする、マッサージ器。
【請求項２】
把持部を有する本体と、
前記本体に設けられており、Ｖ字状に先広がりとなった２本の支持軸と、
各前記支持軸に、回転可能に支持された２組のローラ部とを備え、
各前記ローラ部は、各前記支持軸に回転可能に支持された少なくとも二つのローラを含み、
前記少なくとも二つのローラは、大きさが異なることを特徴とする、マッサージ器。
【請求項３】
前記ローラの体積を用いるか、前記ローラを前記支持軸に直交する平面で切断した場合の切断面の直径の最大値を用いるか、若しくは、前記切断面の重心から外周までの最大距離を用いることによって、前記ローラの大小を定義づけることを特徴とする、請求項１又は２に記載のマッサージ器。
【請求項４】
前記少なくとも二つのローラの内、大きいローラの方が、前記支持軸の先端側に位置することを特徴とする、請求項１〜３のいずれかに記載のマッサージ器。
【請求項５】
前記少なくとも二つのローラの内、小さいローラの方が、前記支持軸の先端側に位置することを特徴とする、請求項１〜３のいずれかに記載のマッサージ器。
【請求項６】
前記少なくとも二つのローラの内、前記支持軸の基端側に位置するローラは、前記支持軸に沿って摺動可能であることを特徴とする、請求項１〜５のいずれかに記載のマッサージ器。
【請求項７】
各前記ローラ部は、大小二つのローラからなるひょうたん型の形状を有していることを特徴とする、請求項１〜６のいずれかに記載のマッサージ器。
【請求項８】
少なくとも一つの前記ローラは、曲線を、前記支持軸を中心に回転させることによって得られる立体形状を有していることを特徴とする、請求項１〜６のいずれかに記載のマッサージ器。
【請求項９】
前記曲線は、円、楕円、角丸め四角形、放物線、正弦波、卵形曲線、又は自由曲線であることを特徴とする、請求項８に記載のマッサージ器。
【請求項１０】
前記支持軸の先端側に位置するローラは、貫通しており、
前記支持軸の先端には、前記ローラの貫通穴を隠し、前記ローラの曲面に沿った湾曲形状を有する部材が前記支持軸に取り付けられていることを特徴とする、請求項１〜９のいずれかに記載のマッサージ器。
【請求項１１】
前記ローラ部の軸受構造において、各前記ローラを回転可能とするための軸受部材は、前記支持軸に対して摺動しないように、配置されていることを特徴とする、請求項１〜１０のいずれかに記載のマッサージ器。
【請求項１２】
先端側の前記ローラの軸受部材と、基端側の前記ローラの軸受部材との間には、少なくとも一以上の第１の貫通部材を前記支持軸に通すことで、各前記ローラのための軸受部材を、前記支持軸に対して摺動しないように、配置していることを特徴とする、請求項１１に記載のマッサージ器。
【請求項１３】
前記支持軸は、基端側に鍔部を有し、
前記支持軸の先端に止め具が取り付けられており、
前記鍔部と基端側の前記ローラとの間、及び／又は、前記止め具と先端側の前記ローラとの間に、少なくとも一以上の第２及び／又は第３の貫通部材が、前記支持軸に通されていることを特徴とする、請求項１２に記載のマッサージ器。
【請求項１４】
前記少なくとも二つのローラの内、小さい方のローラの一部が、大きい方のローラの内部に入り込んでいることを特徴とする、請求項１〜１３に記載のマッサージ器。
【請求項１５】
前記ローラの表面は、多角形状又は曲面状にカットされたような形状を有することを特徴とする、請求項１〜１４に記載のマッサージ器。
【発明の詳細な説明】
【技術分野】
【０００１】
本発明は、回転体を用いて、身体をマッサージするためのマッサージ器に関する。
【背景技術】
【０００２】
特許文献１は、本体に、四本の支持軸を、先広がり傾斜状に延びる軸線上に位置するように配置して、各支持軸に対して、非貫通状態で、ローラを回転可能に支持するように構成した美容器を開示している。特許文献１の美容器におけるローラは、合計四つである。
【０００３】
特許文献２は、特許文献１と同様に、本体に、四本の支持軸を、先広がり傾斜状に延びる軸線上に位置するように配置して、各支持軸に対して、貫通状態で、ローラを回転可能に支持するように構成したマッサージ器を開示している。特許文献２のマッサージ器におけるローラも、合計四つである。
【０００４】
特許文献１に記載の美容器及び特許文献２に記載のマッサージ器は、四つのローラを非貫通状態とするか貫通状態とするかという点で構造上の相違を有するものの、共に、左右の一対のローラで、肌を押圧したり、肌を摘まみ上げたりして、マッサージを行なうという作用を有しているという点で共通している。
【０００５】
また、特許文献１に記載の美容器は、隣り合う一対のローラの間隔を、平面視上、上下に配置された一対のローラと、左右に配置された一対のローラとでは、異なるようにしている。そして、上下に移動させるか、左右に移動させるかで、マッサージ部位の幅や大きさの違いに対応出来るようにしている。
【０００６】
なお、特許文献２のマッサージ器も、平面視上、上下に配置された一対のローラと、左右に配置された一対のローラとでは、異なるようにしており、当業者にとっては、特許文献１に記載の美容器と同様の使い方が可能であることは明らかである。
【０００７】
特許文献３に記載のマッサージ器は、本体に、四本の支持軸を先広がり傾斜状に延びる軸線上に位置するように配置して、各支持軸に対して、同じ大きさの３つの円盤状の回転体を回転可能に支持するように構成したマッサージ器を開示している。特許文献３のマッサージ器では、３つの円盤状の回転体が一組となって、一つのローラ部を構成している。特許文献３のマッサージ器では、合計、１２個の円盤状の回転体が設けられている。
【先行技術文献】
【特許文献】
【０００８】
【特許文献１】特開2014-168642号公報
【特許文献２】米国特許第2633844号公報
【特許文献３】米国特許第1999939号公報
【発明の概要】
【発明が解決しようとする課題】
【０００９】
たとえば、前腕や、二の腕、太もも、首筋、脇腹、お尻、太もも、ふくらはぎなどをマッサージするために必要な一対のローラの間隔は、それぞれ異なる。前腕であれば、一対のローラの間隔は比較的狭くてもよいが、脇腹や太ももをマッサージする場合は、一対のローラの間隔は広い方がよい。
【００１０】
特許文献１に記載の四つのローラを用いる美容器では、平面視上で、上下に配置された一対のローラと、左右に配置された一対のローラとの間の間隔を異なる大きさにしている。そのため、ある程度は、マッサージしたい身体の部位の違いに対応することができる。しかし、二通りの間隔の違いが提供されているに過ぎず、身体のあらゆる部位のマッサージに完全に適したものであるとは言いがたい。
【００１１】
たとえば、太い身体部位になるほど、ローラによって、幅広くマッサージされたいというニーズがある。しかし、特許文献１の美容器では、皮膚との接触は、一対のローラの二つだけで有り、ローラと皮膚との接触面積が少ない。そのため、仮に、ローラの間隔が適切なものであったとしても、幅広くマッサージを行なうことはできない。
【００１２】
これらのことは、特許文献２についても同様である。
【００１３】
特許文献３によれば、皮膚には、隣り合う合計六つのローラが皮膚に接触することとなる。特許文献３では、同じ大きさの円盤状のローラ３つを用いて、全体として円柱状のローラ部を構成している。しかし、全体として円柱状のローラ部では、心地よいマッサージを得ることはできない。
【００１４】
それゆえ、本発明は、従来のマッサージ器と比べて、出来る限り身体のあらゆる場所をマッサージすることができると共に、幅広く心地よいマッサージを行なうことができるマッサージ器を提供することを目的とする。
【課題を解決するための手段】
【００１５】
上記課題を解決するために、本発明は、以下のような特徴を有する。本発明は、把持部を有する本体と、本体に設けられた４本の支持軸と、各支持軸に、回転可能に支持された４組のローラ部とを備える。各支持軸は、本体から延びて先端に行くほど、隣り合う支持軸との間の距離が離れて先広がりとなるように傾斜して、本体に設けられている。各ローラ部は、各支持軸に回転可能に支持された少なくとも二つのローラを含む。少なくとも二つのローラは、大きさが異なる。
【００１６】
また、本発明は、把持部を有する本体と、本体に設けられており、Ｖ字状に先広がりとなった２本の支持軸と、各支持軸に、回転可能に支持された２組のローラ部とを備える。各ローラ部は、各支持軸に回転可能に支持された少なくとも二つのローラを含む。少なくとも二つのローラは、大きさが異なる。
【００１７】
ローラの体積を用いるか、ローラを支持軸に直交する平面で切断した場合の切断面の直径の最大値を用いるか、若しくは、切断面の重心から外周までの最大距離を用いることによって、ローラの大小を定義づけるとよい。
【００１８】
少なくとも二つのローラの内、大きいローラの方が、支持軸の先端側に位置するとよい。
【００１９】
また、少なくとも二つのローラの内、小さいローラの方が、支持軸の先端側に位置してもよい。
【００２０】
少なくとも二つのローラの内、支持軸の基端側に位置するローラは、支持軸に沿って摺動可能であるとよい。
【００２１】
各ローラ部は、大小二つのローラからなるひょうたん型の形状を有しているとよい。
【００２２】
また、少なくとも一つのローラは、曲線を、支持軸を中心に回転させることによって得られる立体形状を有していてもよい。
【００２３】
たとえば、曲線は、円、楕円、角丸め四角形、放物線、正弦波、卵形曲線、又は自由曲線である。
【００２４】
支持軸の先端側に位置するローラは、貫通しており、支持軸の先端には、ローラの貫通穴を隠し、ローラの曲面に沿った湾曲形状を有する部材が支持軸に取り付けられているとよい。
【００２５】
ローラ部の軸受構造において、各ローラを回転可能とするための軸受部材は、支持軸に対して摺動しないように、配置されているとよい。
【００２６】
先端側のローラの軸受部材と、基端側のローラの軸受部材との間には、少なくとも一以上の第１の貫通部材を支持軸に通すことで、各ローラのための軸受部材を、支持軸に対して摺動しないように、配置しているとよい。
【００２７】
たとえば、支持軸は、基端側に鍔部を有し、支持軸の先端に止め具が取り付けられており、鍔部と基端側のローラとの間、及び／又は、止め具と先端側のローラとの間に、少なくとも一以上の第２及び／又は第３の貫通部材が、支持軸に通されているとよい。
【００２８】
少なくとも二つのローラの内、小さい方のローラの一部が、大きい方のローラの内部に入り込んでいるとよい。
【００２９】
ローラの表面は、多角形状又は曲面状にカットされたような形状を有するとよい。
【発明の効果】
【００３０】
本発明によれば、４本の支持軸及び２本の支持軸を用いるどちらの場合でも、１本の軸上に、少なくとも二つのローラを用いている。１本の軸上に、少なくとも二つのローラを用いることで、少なくとも四つのローラで、肉を挟み込んでマッサージを行なうことが可能となる。よって、従来のように、二つのローラで肉を挟み込み、肉の摘まみ上げだけ効果を強調したような美容器と比較して、身体を幅広く心地よくマッサージすることが可能となる。また、必要に応じて、先端部分の二つのローラだけでマッサージしたり、四つのローラを全体的に使ってマッサージしたりするなど、使用者の好みに応じて、使い分けも可能である。よって、出来る限り身体のあらゆる場所をマッサージすることが可能なマッサージ器が提供されることとなる。
【００３１】
加えて、少なくとも２つのローラの大きさを異なるものとすることで、より心地よいマッサージが可能となる。
【００３２】
たとえば、大きい方のローラだけで構成されていた場合、基端側で対向する二つのローラの間隔が狭くなり、肉の摘まみ上げがきつくなる可能性がある。そのような場合、支持軸の開き角度を心地のよい角度に設定しておきながら、先端側のローラを大きくし、基端側のローラを小さくすることで、基端側の一対のローラでも、肉を挟んでマッサージを可能とする。
【００３３】
また、逆に、先端側のローラを小さくし、基端側のローラを大きくしてもよく、そのような場合、たとえば、一対の支持軸の開き角度を大きめにとって、基端側のローラを大きくすることで、基端側のローラで肉を挟みながら、先端側のローラで、肉全体をマッサージするというような使い方が可能となる。
【００３４】
ただし、上記どちらの場合についても、開き角度とローラの大きさについては、一例に過ぎず、また、マッサージの仕方についても、一例に過ぎないので、本発明を限定するものではない。
【００３５】
基端側のローラを摺動することができるようにすることで、基端側のローラの位置が調整可能となる。それによって、ローラの回転のしやすさなどを調整して、マッサージの具合を調整することが可能である。また、基端側のローラを摺動できるようにした方が、製造し易いというメリットもある。
【００３６】
大小二つのローラからなるひょうたん型のローラ部を用いることで、デザイン性に優れたマッサージ器を提供できるばかりでなく、上記に説明したような心地よいマッサージを行なうことが可能となる。
【００３７】
ローラの形状を、曲線を回転させて得られる立体形状とすることで、いろいろな形状のローラを用いて、心地よいマッサージを追求する発明を提供することが可能となる。
【００３８】
そのような曲線としては、種々考えられるが、たとえば、円、楕円、角丸め四角形、放物線、正弦波、卵形曲線、又は自由曲線とすることで、設計が容易なものとなる。
【００３９】
ローラを貫通状態として、支持軸の先端に、キャップのための部材を設けることで、貫通であるにもかかわらず、先端部分が皮膚に接触して怪我をするなどといった事態を回避することが可能となる。
【００４０】
軸受部材を支持軸に対して摺動しないようにすることで、ローラを安定的に回転させることができ、心地よいマッサージが実現できる。
【００４１】
たとえば、軸受部材の間の第１の貫通部材という簡易な構造で、軸受部材を支持軸に対して摺動しない具体的構造を提供可能である。構造が簡易であれば、当然、製造が容易となり、結果、コスト面での優位性も確保できる。
【００４２】
また、支持軸の基端側の鍔部、先端側の止め具、第２及び／又は第３の貫通部材を用いるという構造でも、軸受部材を支持軸に対して摺動しないようにする簡易な構造を提供可能である。
【００４３】
小さい方のローラの一部を大きい方のローラの内部に入り込むようにすることで、二つのローラの間の間隔を無くすことが可能である。それによって、二つのローラの間に、肉が挟まるなど、予期せぬ動作が生じるおそれを防止することが可能となる。
【００４４】
ローラの表面を多角形状又は曲面状にカットされたような形状とすることで、ローラの表面に皮膚が接触し易くなり、より心地よいマッサージが可能となる。
【００４５】
本発明のこれら、及び他の目的、特徴、局面、効果は、添付図面と照合して、以下の詳細な説明から一層明らかになるであろう。
【図面の簡単な説明】
【００４６】
【図１】図１は、本発明の第１の実施形態に係るマッサージ器１０の斜視図である。
【図２】図２は、マッサージ器１０の正面図である。
【図３】図３は、マッサージ器１０の左側面図である。
【図４】図４は、マッサージ器１０の右側面図である。
【図５】図５は、マッサージ器１０の底面図である。
【図６】図６は、マッサージ器１０の平面図である。
【図７】図７は、各ローラ部４の内部構造を示す支持軸３の中心縦方向断面図である。
【図８】図８は、本発明の第２の実施形態におけるマッサージ器１１の正面図である。
【図９】図９は、マッサージ器１１の左側面図である。
【図１０】図１０は、マッサージ器１１の平面図である。
【発明を実施するための形態】
【００４７】
（第１の実施形態）
図１は、本発明の第１の実施形態に係るマッサージ器１０の斜視図である。図２は、マッサージ器１０の正面図である。図３は、マッサージ器１０の左側面図である。図４は、マッサージ器１０の右側面図である。図５は、マッサージ器１０の底面図である。図６は、マッサージ器１０の平面図である。マッサージ器１０の背面図は、正面図と対称に現れるので、省略する。図７は、各ローラ部４の内部構造を示す支持軸３の中心縦方向断面図である。以下、図１ないし図７を参照しながら、マッサージ器１０の構成について説明する。
【００４８】
マッサージ器１０は、本体１と、４本の支持軸３と、４組のローラ部４とを備える。本体１は、把持部２を有する。把持部２は、使用者が把持することができる部分であり、把持しやすい形状になっている。そのため、把持部２の形状は、図示した形状に限られるものではなく、適宜、設計するとよい。把持部２の形状の変形例については、後述する。
【００４９】
本体１には、４本の支持軸３が設けられている。図２において、左側の支持軸３１と、右側の支持軸３２とは、下に向かうほど、それぞれの間の距離が離れるように、ハの字状に傾斜して本体４に取り付けられている。そして、図３において、右側の支持軸３１は、図２の左側の支持軸３１と同じものであるが、図３の左側の支持軸３３との関係においては、下に向かうほど、それぞれの間の距離が離れるように、ハの字状に傾斜して本体４に取り付けられている。同様の関係が、支持軸３２と支持軸３４との間にも成立し（図４参照）、かつ、支持軸３３と支持軸３４との間にも成立する（図５及び図６参照）。すなわち、各支持軸３は、本体１から延びており、先端に行くほど、隣り合う２本の支持軸３との間の距離が離れて先広がりとなるように傾斜して、本体１に設けられている。
【００５０】
図７に示すように、本実施形態では、支持軸３の基端側（本体１側）には、ねじ溝３ａが設けられており、本体１にねじ溝３ａがねじ込まれることで、支持軸３が本体１に取り付けられることとしている。ただし、支持軸３を本体１に取り付けるための構造は、特に限定されるものではなく、しまりばめによるはめ込みでもよいし、接着材による固定でもよいし、本体１側から外側に向けて、支持軸３を突き通して固定するような方法であってもよい。
【００５１】
各ローラ部４は、それぞれ、二つのローラ４ａ，４ｂからなる。ローラ４ａ，４ｂの大きさは異なっている。本実施形態では、支持軸３の先端側のローラ４ａを大きい方のローラとし、支持軸３の基端側のローラ４ｂを小さい方のローラとしている。各支持軸３にそれぞれ、ローラ４ａ，４ｂが回転可能に支持されている。
【００５２】
なお、各支持軸３に設けられるローラの数は、ここでは、２個であるとしているが、少なくとも２個であればよく、３個以上のローラが設けられていてもよい。３個以上のローラが設けられた場合の変形例については、後述する。
【００５３】
なお、ローラの大小関係については、図示した例に限られるものではなく、大小関係の変形例については、後述する。
【００５４】
ここで、二つのローラの大きさが異なるとは、如何にして定義付けされるものであるのか説明する。
【００５５】
まず、第一に、二つのローラの総体積の相違によって、大きさが異なることを定義づけることができる。総体積は、ローラ内部に形成されている軸受部材の収容穴を考慮することなく、外観全体の体積として定義づけてもよいし、当該収容穴を体積に含めないようにした体積として定義付けしてもよい。
【００５６】
体積以外を用いても、ローラの大きさを定義づけることができる。第二の定義付けとして、ローラの直径で大小を定義づけることができる。すなわち、ローラは、支持軸を中心に回転する部材であるから、支持軸に直交する平面でローラを切断することを観念することが可能である。その切断面の外形は、円形となっているため、当該円形の直径を決めることができる。そして、任意の切断面において、直径が最大となる切断面を求めた場合、その最大となる直径をローラの大きさと定義づけることが可能である。そして、最大直径を比較することで、ローラの大小を定義づけることが可能となる。
【００５７】
上記のように、断面が円形となっている形状は、ある曲線を、支持軸を中心に回転させた立体形状（数学的には、「回転体」という。）であるといえる。そして、そのような曲線の例としては、たとえば、円、楕円、角丸め四角形、放物線、正弦波、卵形曲線、又は自由曲線を考えることができるが、それに限られるものではなく、任意の曲線（折れ線も含む）であればよい。なお、卵形曲線とは、周知の方程式によって表される卵形の曲線であってもよいし、卵の形状に模した自由曲線であってもよい。
【００５８】
本実施形態では、大小のローラ４ａ，４ｂは、楕円を支持軸を中心に回転させた立体形状である。そして、大小のローラ４ａ，４ｂによって、全体として、ローラ部４は、ひょうたん型の形状を有している。
【００５９】
第２の定義付けを用いて、ローラ４ａとローラ４ｂとの大小を比較した場合、図７に示すように、Ｘ−Ｘ線での切断が、ローラ４ｂの切断面の直径が最大になる切断であり、Ｙ−Ｙ線での切断が、ローラ４ａの切断面の直径が最大になる切断である。そして、Ｙ−Ｙ線での切断での直径の方が大きいので、ローラ４ａの方がローラ４ｂよりも大きいローラであるということになる。
【００６０】
なお、各ローラの表面は、多角形状や曲面状にカットされたような形状であってもよい。また、各ローラの表面に凹凸が設けられていてもよい。
【００６１】
なお、表面が多面体状や曲面状にカットされたローラや、表面に凹凸を有するローラは、数学的な厳密さで議論した場合、いわゆる「回転体」に該当しない場合もある。しかし、本発明のローラには、これらの形状についても、カット面や凹凸を設ける前の形状は、「回転体」であると言える。よって、本発明における「回転体」としては、カット面や凹凸を設ける前の形状が「回転体」である場合も含むものとする。
【００６２】
主には、上記のように、二つの定義付けを用いて、ローラの大小を定義づけることができる。ただし、上記した大小の定義は、あくまでも一例に過ぎず、本発明を限定するものではなく、当業者が大小として認識しうる範囲のものを、ローラの大小の定義として、用いることができるものとする。
【００６３】
たとえば、ローラを支持軸３に直交する平面で切断した場合の切断面が、円形になっていない場合も、本発明に含まれる。すなわち、切断面が楕円形やその他の曲線になっているような形状も本発明のローラに含まれる。そのようなローラは、回転時に、皮膚とローラとの間の距離が変化し、断面が円形のローラとは異なる感覚を使用者に与える。
【００６４】
このようなローラを用いた場合、第１の定義で大小を定義づけることができるが、その他、支持軸３に直交する平面で切断した場合の切断面の重心から外周までの最大距離をローラの大きさと定義づけて、重心から外周までの最大距離を用いて、ローラの大小関係を定義づけてもよい。
【００６５】
なお、ローラの形状によっては、ローラの重心が支持軸上に存在しない場合もある。これを、偏心ローラと呼ぶことにするが、偏心ローラであっても、重心を定義づけることは出来るわけであるから、支持軸３に直交する平面で切断した場合の切断面と、当該切断面上の重心から外周までの最大距離を偏心ローラの大きさと定義づけて、重心から外周までの最大距離を用いて、偏心ローラの大小関係を定義づけてもよい。
【００６６】
すなわち、第三の定義付けとして、ローラを支持軸に直交する平面で切断した場合の切断面の重心から外周までの最大距離を用いて、ローラの大小を定義づけることができる。
【００６７】
その他、当業者において、ローラの大小を観念付けることが可能な比較方法を用いて、ローラの大小を定義づけてもよく、上記第一ないし第三の定義付けは、一例に過ぎない。
【００６８】
本実施形態では、大きい方のローラ４ａの方が、小さい方のローラ４ｂと比較して、支持軸３の先端側に位置していることとなる。
【００６９】
また、支持軸３毎に、ローラの配置関係を異なるものとしてもよい。すなわち、ある支持軸３については、先端側のローラを大きくし、他の支持軸３については、先端側のローラを小さくしてもよい。
【００７０】
たとえば、図２と図３とを比較すれば分かるように、隣り合う支持軸は、一方の一対の支持軸３１及び３２の間隔（図２）と他方の一対の支持軸３１及び３３の間隔（図３）（又は、図４の支持軸３２及び３４の間隔）は、異なるようになっている。これによって、広い間隔の方では、太い身体部位をマッサージし、狭い間隔の方では、細い身体部位をマッサージできるようになっている。ただし、使い方は、限定されず、上記とは逆に使用してもよいことは、言うまでもない。
【００７１】
一対の支持軸３の縦方向中心を通る平面上で、一対の支持軸３の開き角度は、たとえば、６５度〜８０度の間にするとよいが、特に限定されるものではない。ローラの大きさや支持軸３の間隔などを考慮して、一対の支持軸３の開き角度は、単に、当業者が設計する事項に過ぎない。
【００７２】
一対の支持軸３の開き角度やローラ間の間隔、支持軸３の傾斜角度などの数値限定によって、より効果が高まるかのような議論がなされる場合があるが、身体のどの部位をマッサージするかで、必要な数値は区々であり、たとえば、顔や腕、足、お腹などのマッサージでは、当然、マッサージすべき肉の量などは、異なってくる。本発明では、これらの数値としては、あらゆる数値を適宜選択すればよいという立場をとることとする。本発明は、ローラとして、大小のローラを支持軸３に回転可能に取り付けることで、肉の量の違いや、マッサージの際の好みの違いに着目しているのである。当然、極端に、支持軸の開き角度が大きすぎたとしたら、肉を摘まみ上げる作用が小さくなってしまうし、逆に、支持軸の開き角度が小さすぎたとしたら、そもそも、肉が挟まれないので、マッサージができないこととなる。そのような観点で、適切な肉の挟みが可能となる支持軸の開き角度は、自ずと決まるのであり、実施形態の一例として、開き角度を６５〜８０度としている。繰り返しになるが、開き角度は、本発明を限定するものではなく、たとえば、支持軸の縦方向中心を通る平面上で、支持軸の開き角度を４５〜１００度としてもよい。
【００７３】
なお、一対のローラを用いて、肉側に支持軸を傾けるようにして、引っ張ることで、肉が摘まみ上げられるような作用を生じることについては、周知の作用に過ぎないことを念のため、述べておくこととする。
【００７４】
次に、図７を参照しながら、ローラ部４の内部構造について説明する。
【００７５】
図７に示すように、支持軸３の先端側に位置するローラ４ａは、支持軸３の延伸方向に沿って貫通している（ローラが貫通することを、貫通状態という）。また、支持軸３の基端側に位置するローラ４ｂも、支持軸３の延伸方向に沿って貫通している。
【００７６】
支持軸３の基端側には、鍔部３ｂが設けられている。
【００７７】
第２の貫通部材３ｃは、少なくとも１以上のリング状の部材や、筒状の部材、ドーナツ状の部材など、支持軸３を貫通させることができる部材である。第２の貫通部材３ｃは、鍔部３ｂの先端側に挿入されている。
【００７８】
ローラ４ｂの内部には、軸受部材３ｇが設けられている。軸受部材３ｇは、軸受ホルダー３ｄと、転がり軸受３ｅ，３ｆとからなる。なお、軸受構造は、一例に過ぎず、周知のあらゆる軸受け構造を採用することができる。ここでは、転がり軸受を用いているが、滑り軸受を用いた軸受構造であってもよことは言うまでもない。
【００７９】
転がり軸受３ｅ，３ｆに支持軸３が挿入されることで、軸受ホルダー３ｄとローラ４ｂとが、転がり軸受３ｅ，３ｆを介して、支持軸３の回りを回転することができるようになっている。
【００８０】
軸受ホルダー３ｄとローラ４ｂとの嵌め合いは、すきまばめとしている。そして、軸受ホルダー３ｄに形成された環状溝にＯリング３ｈが取り付けられている。ローラ４ｂは、支持軸３に沿って、摺動可能となっている。基端側に位置するローラ４ｂを摺動可能とすることで、ローラ４ｂの位置を微調整することができ、ローラ４ａやローラ４ｂの回転のしやすさを調整することができる。なお、Ｏリング３ｈは、必須の構成ではない。
【００８１】
図７に示すように、小さい方のローラ４ｂの一部は、大きい方のローラ４ａの内部に、入り込むことができるように、ローラ４ａの内部のくり抜き部分の大きさが決められている。このようにすることで、ローラ４ｂとローラ４ａとの間の隙間を出来る限り少なくすることで、快適なマッサージ効果を得ることができる。また、ローラ４ｂが回転しにくい場合は、ローラ４ｂを基端側に摺動させることで、ローラ４ｂを回転しやすくすることができる。逆に、ローラ４ｂが回転しすぎる場合は、ローラ４ｂの一部をローラ４ａの中に入れることで、ローラ４ｂとローラ４ａとの間の摩擦を高めて、ローラ４ｂを回転しにくくすることで、異なるマッサージ効果を期待することも可能である。小さい方のローラ４ｂをどの位置に調整して使用するかは、使用者が適宜選択すればよい。
【００８２】
第１の貫通部材３ｉは、少なくとも１以上のリング状の部材や、筒状の部材、トーラス状の部材など、支持軸３を貫通させることができる部材である。第１の貫通部材３ｉは、軸受部材３ｇの先端側に挿入されている。第１の貫通部材３ｉは、ローラ４ｂの先端側の貫通穴を超える箇所まで、設けられている。
【００８３】
そして、第１の貫通部材３ｉの先端側に、軸受部材３ｍが設けられている。軸受部材３ｍは、軸受ホルダー３ｋと、転がり軸受３ｊ，３ｌとからなる。軸受ホルダー３ｋは、大きい方のローラ４ａの内部にしまりばめによって、嵌め込まれている。ローラ４ａは、支持軸３に対して摺動しないように配置されている。よって、ローラ４ａ及び軸受ホルダー３ｋは、転がり軸受３ｊ，３ｌを介して、支持軸３の回りを回転することができる。なお、ローラ４ａ側の軸受構造も、一例に過ぎず、周知のあらゆる軸受け構造を採用することができる。当然、滑り軸受を用いた軸受構造であってもよいことは言うまでもない。
【００８４】
第３の貫通部材３ｎは、少なくとも１以上のリング状の部材や、筒状の部材、トーラス状の部材など、支持軸３を貫通させることができる部材である。第３の貫通部材３ｎは、軸受部材３ｍの先端側に挿入されている。
【００８５】
第３の貫通部材３ｎの先端側には、ナット等の止め具３ｏが設けられている。止め具３ｏによって、第２の貫通部材３ｃ、軸受部材３ｇ、第１の貫通部材３ｉ、軸受部材３ｍ、及び第３の貫通部材３ｎが、支持軸３に対して、図７上、左右にずれて移動しないように配置されることとなる。
【００８６】
なお、第２の貫通部材３ｃ及び第３の貫通部材３ｎを設けずに、止め具３ｏの位置を調整することでも、軸受部材３ｇ、第１の貫通部材３ｉ、及び軸受部材３ｍが、図７上、左右に移動しないようにすることができる。軸受部材３ｇと軸受部材３ｍとは、離れたところに位置すると考えられるが、そのような場合でも、第１の貫通部材３ｉを設けることで、各部材が図７上の左右に移動（摺動）することを防止することができる。
【００８７】
なお、第２の貫通部材３ｃと、第３の貫通部材３ｎとは、必須の構成ではないが、どちらか一方を設けられている構造でもよい。
【００８８】
支持軸３の突端部分には、キャップのための部材３ｐが設けられている。部材３ｐは、ローラ４ａの曲面に沿った湾曲形状を有している。部材３ｐは、ローラ４ａの貫通穴を隠すために存在する部材であり、出来る限り、ローラ４ａの曲面形状に近づけた形状とすることで、ローラ４ａが貫通しているとの印象を使用者に与えることを防止することができる。ローラ４ａと部材３ｐとの間には、ローラ４ａの回転が円滑に行なわれる程度のクリアランスが設けられている。
【００８９】
このように、第１の実施形態では、二つのローラ４ａ，４ｂの大きさを異なるようにしている。特に、本体に近い側のローラ４ｂを小さくしている。もし仮に、二つのローラが同じ大きさであるとすると、隣り合う支持軸３との間隔にも依存するが、ローラの大きさによっては、ローラの間隔が狭くなりすぎてしまう可能性がある。しかし、本体側のローラ４ｂを小さくすることで、一対のローラ４ｂの間にも、肉を入れることが可能である。その結果、使用者は、大きい方の一対のローラ４ａと、小さい方の一対のローラ４ｂとの間に肉を挟んで、身体をマッサージするという使用方法も可能となる。マッサージしたい部位によっては、大きい方の一対のローラ４ａを用いるだけでも当然よい。よって、出来る限り身体のあらゆる場所をマッサージすることができると共に、幅広く心地よいマッサージを行なうことができる。
【００９０】
（第２の実施形態）
図８は、本発明の第２の実施形態におけるマッサージ器１１の正面図である。図９は、マッサージ器１１の左側面図である。図１０は、マッサージ器１１の平面図である。以下、図８ないし図１０を参照しながら、マッサージ器１１の構成について説明する。第２の実施形態において特に説明しない構成は、第１の実施形態と同様である。
【００９１】
マッサージ器１１は、本体と、２本の支持軸３と、２組のローラ部４とを備える。本体１は、把持部２と、把持部２の先端側に設けられた分岐部２ａとを含む。把持部２は、使用者が把持することができる部分であり、把持しやすい形状になっている。そのため、把持部２の形状は、図示した形状に限られるものではなく、適宜、設計するとよい。
【００９２】
分岐部２ａには、２本の支持軸３が設けられている。２本の支持軸３は、Ｖ字状に先広がりとなるように、分岐部２ａに取り付けられている。支持軸３の構造は、第１の実施形態と同様である。
【００９３】
各支持軸３には、第１の実施形態と同様の軸受構造を有するようにして、ローラ部４が回転可能に支持されている。
【００９４】
その他、第１の実施形態で採用しうる構成は、全て、第２の実施形態においても適用可能である。
【００９５】
第１の実施形態と同様、ローラ部４には、二つのローラが設けられている。二つのローラは、それぞれ、大きさが異なっている。
【００９６】
このように、一組のローラ部４を用いるようなＶ字状又はＹ字状のマッサージ器に対しても、ローラ４ａ，４ｂを異なる大きさのものとすることで、第１の実施形態と同様の作用によって、出来る限り身体のあらゆる場所をマッサージすることができると共に、幅広く心地よいマッサージを行なうことが可能となる。
【００９７】
その他、本発明において、考え得る変形例を以下に説明する。
【００９８】
（３個以上のローラを用いる場合）
上記実施形態では、ローラ部４として、２個のローラを用いる場合を説明したが、３個以上のローラを用いるようにしてもよい。
【００９９】
支持軸３の基端側に位置するローラは、摺動可能となっていればよいが、たとえば、３つのローラを用いる場合、基端側から、１つ目のローラ及び／又は２つ目のローラが、支持軸に対して、摺動可能となっているとよい。
【０１００】
ローラの形状については、第１の実施形態で説明した形状を採用するとよい。
【０１０１】
軸受構造についても、第１の実施形態で説明したような構造を用いることができる。たとえば、３個のローラを用いる場合、二つのローラに挟まれた真ん中のローラは、図７のローラ４ｂと同様に摺動する軸受構造を用いてもよいし、図７のローラ４ａのように、しまりばめで嵌め込まれた軸受け構造を用いてもよい。３個のローラを用いる場合の真ん中のローラは、図７の４ｂのように、すきまばめで嵌め込まれるような軸受構造の方が、製造が容易となるが、限定されるものではない。
【０１０２】
（ローラの大小関係の変形例）
上記実施形態では、大きい方のローラ４ａが先端側に位置し、小さい方のローラ４ｂが基端側に位置することとしたが、逆に、小さい方のローラ４ｂを先端側に位置し、大きい方のローラ４ａを基端側に位置するようにしてもよい。
【０１０３】
その場合、一対の支持軸の開き角度を大きくすることで、基端側の大きい方のローラの間隔を確保することが可能となり、基端側で一つのローラで摘まみ上げを強くマッサージすることができ、先端側の一対のローラで、広範囲にマッサージすることが可能となる。ただし、生じる作用効果は、使用者の体格などで、変化するため、上記の作用効果は、あくまでも一例としての感じ方に過ぎない。
【０１０４】
３つのローラを用いる場合、ローラの大きさを先端側から大中小に並べてもよいし、先端側から小中大の順に並べてもよい。
【０１０５】
３個以上のローラを用いる場合、少なくとも二つのローラの大きさが異なっていればよい。したがって、たとえば、３個のローラを用いる場合、ローラの大きさを大中小で表した場合、大大小、大中小、大小小、大中中、大小中などのように、少なくとも二つのローラの大きさが異なっているようにすればよく、その他、考え得るあらゆる組み合わせが本発明に含まれる（４個以上のローラについても同様）。
【０１０６】
（ローラの材質）
ローラ部４を構成する少なくとも二つのローラは、共に、同じような材質で構成されていてもよいし、異なる材質で構成されていてもよい。たとえば、樹脂や金属など硬質の材質で各ローラが構成されていてもよいし、ゴムやシリコンなどの軟質の材質で各ローラが構成されていてもよいし、硬質のローラと軟質のローラとを混ぜてローラ部を構成するようにしてもよい。
【０１０７】
（把持部の形状）
図示した把持部２の形状は、あくまでも一例に過ぎない。たとえば、第１の実施形態の場合であれば、本体において、支持軸３を固定する部分を板状や角柱状にして、その上に、握りやすい構造の把持部を設けるようにしてもよい。把持部の形状は、握りやすさを考慮して当業者が適宜設計する事項に過ぎない。
【０１０８】
第２の実施形態の場合、把持部２の形状は、握りやすかったり、デザイン性に富んだりした形状であればよい。
【０１０９】
分岐部２ａについては、第２の実施形態では、鍔部３ｂを構成するようにしているため、分岐部２ａの先端は平らな構造となっており、その平らな部分に、ローラ４ｂが対向する構造となっているが、それに限定されるものではない。基端側のローラ４ｂの一部に、分岐部２ａの先端が入り込むような構造でもよいし、逆に、分岐部２ａの先端に、ローラ４ｂの一部が入り込むような構造であってもよい。
【０１１０】
第１の実施形態においても、本体１にローラ４ｂの一部が入り込むような構造であってもよい。
【０１１１】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【０１１２】
本発明は、マッサージ器であり、産業上利用可能である。
【符号の説明】
【０１１３】
１０，１１  マッサージ器
１  本体
２  把持部
２ａ  分岐部
３，３１，３２，３３，３４  支持軸
３ａ  ねじ溝
３ｂ  鍔部
３ｃ  第２の貫通部材
３ｄ，３ｋ  軸受ホルダー
３ｅ，３ｆ，３ｊ，３ｌ  転がり軸受
３ｇ，３ｍ  軸受部材
３ｈ  Ｏリング
３ｉ  第１の貫通部材
３ｎ  第３の貫通部材
３ｏ  止め具
３ｐ  キャップのための部材
４  ローラ部
４ａ，４ｂ  ローラ
【図１】
2020062090.tif 000003
【図２】
2020062090.tif 000004
【図３】
2020062090.tif 000005
【図４】
2020062090.tif 000006
【図５】
2020062090.tif 000007
【図６】
2020062090.tif 000008
【図７】
2020062090.tif 000009
【図８】
2020062090.tif 000010
【図９】
2020062090.tif 000011
【図１０】
2020062090.tif 000012